(57)【要約】【課題】  カバー部材を有効に利用することで利便性を向上させたプロジェクタを提供する。【解決手段】  光を出射する光源５１と、画像データに基づいて光源５１からの光を映像に変換する変換部５５を有する光学変換部５４と、光学変換部５４により変換された映像を拡大投写する投写レンズ５９と、プロジェクタ本体２に回動自在に軸支され、投写レンズ５９の先端部に対して開放閉塞を行うカバー部材１００とを有して構成される。そして、カバー部材１００は、投写レンズ５９の先端部を開放し所定の位置に位置した場合、プロジェクタ１の脚およびチルト機構として機能する。【選択図】      図２
2006227050.tif 000002
【特許請求の範囲】
【請求項１】
映像を投写するプロジェクタであって、
光を出射する光源と、
画像データに基づいて前記光源からの光を映像に変換する変換部を有する光学変換部と、
前記光学変換部により変換された映像を拡大投写する投写レンズと、
前記プロジェクタの本体に回動自在に軸支され、前記投写レンズの先端部に対して開放閉塞を行うカバー部材とを有し、
前記カバー部材は、前記投写レンズの先端部を開放し所定の位置に位置した場合、前記プロジェクタの脚およびチルト機構として機能することを特徴とするプロジェクタ。
【請求項２】
請求項１に記載のプロジェクタであって、
前記カバー部材の位置を検出する検出部と、
前記検出部の検出信号に基づいて、少なくとも前記光源の点灯／非点灯を制御する光源動作制御部とを有することを特徴とするプロジェクタ。
【請求項３】
請求項１または請求項２に記載のプロジェクタであって、
前記カバー部材を固定する固定部を更に有し、
前記固定部は、前記カバー部材を前記チルト機構として機能する所定の位置に固定することを特徴とするプロジェクタ。
【請求項４】
請求項１〜請求項３のいずれか一項に記載のプロジェクタであって、
前記カバー部材は、前記投写レンズの先端部を閉塞した場合、前記プロジェクタの脚として機能することを特徴とするプロジェクタ。
【請求項５】
請求項３または請求項４に記載のプロジェクタであって、
前記カバー部材は、不透明のプラスチック部材または金属部材で形成されることを特徴とするプロジェクタ。
【発明の詳細な説明】
【技術分野】
【０００１】
本発明は、映像を投写するプロジェクタに関する。詳しくは、プロジェクタの投写レンズを保護するカバー部材に関する。
【背景技術】
【０００２】
従来のプロジェクタにおけるカバー部材（レンズカバー）は、投写レンズ面を閉塞するように、投写レンズの保持部材に取外し可能に設置され、投写レンズ面を閉塞している。また、カバー部材は、紐によりプロジェクタの本体につながっている。また、特許文献１に記載されるように、カバー部材は、投写レンズの直前に備えられ、レンズ面と平行に移動し、レンズの保護およびレンズの補助レンズとして構成されるものがある。また、特許文献２に記載されるように、カバー部材は、プロジェクタ本体に回動自在に軸支され、モータを備えてカバー部材を開閉駆動する構成のものも知られている。
【０００３】
また、カバー部材は、無色（あるいは有色）透明のプラスチック材料で形成され、カバー部材で投写レンズ面を閉塞したままプロジェクタが投写を開始した場合の投写光の熱によるカバー部材の変形などに対処している。
【０００４】
【特許文献１】実開平２−４４７２９号公報
【特許文献２】実開平３−７０４７３号公報
【発明の開示】
【発明が解決しようとする課題】
【０００５】
しかしながら、特許文献１に記載される構成は、投写レンズの保護と、投写レンズの補助を目的とする構成であり、特許文献２に記載される構成は、投写レンズの保護のみを目的とする構成である。従って、レンズカバーは投写レンズの保護に使用されることが殆どであり、カバー部材が有効に利用されていないことが課題である。
【０００６】
また、カバー部材の材質は、上述したように、投写光の熱による変形を防止するため、無色（あるいは有色）透明のプラスチック材料で形成されるため、カバー部材及びプロジェクタのデザインの自由度が狭くなるという課題がある。
【０００７】
また、小型のプロジェクタにおいて、プロジェクタを机上面に載置して投写面に映像を投写する場合、投写レンズのアオリの関係から、投写映像の下側が机上面に投写されるという課題もある。
【０００８】
本発明は、上記課題に鑑みてなされたものであり、カバー部材を有効に利用することで利便性を向上させたプロジェクタを提供することを目的とする。
【課題を解決するための手段】
【０００９】
上述した目的を達成するために、本発明は、プロジェクタであって、光を出射する光源と、画像データに基づいて光源からの光を映像に変換する変換部を有する光学変換部と、光学変換部により変換された映像を拡大投写する投写レンズと、プロジェクタの本体に回動自在に軸支され、投写レンズの先端部に対して開放閉塞を行うカバー部材とを有し、カバー部材は、投写レンズの先端部を開放し所定の位置に位置した場合、プロジェクタの脚およびチルト機構として機能することを特徴とする。
【００１０】
このようなプロジェクタによれば、カバー部材は、閉塞して投写レンズを保護することができる。また、カバー部材がプロジェクタの本体に対して回動し、投写レンズの先端部を開放して所定の位置に位置した場合には、プロジェクタの脚として機能することで、プロジェクタを机上などに載置した場合、プロジェクタのガタツキを防止することができる。併せて、チルト機構として機能するため、投写面に対して投写レンズから投写された投写映像の位置を調整でき、プロジェクタが映像を投写する際のアオリの関係から発生する投写映像の下側が机上面に投写されるという不具合を改善することが可能となる。これらにより、プロジェクタのカバー部材を有効に利用することができ、プロジェクタの利便性が向上する。
【００１１】
上記プロジェクタにおいて、カバー部材の位置を検出する検出部と、検出部の検出信号に基づいて、少なくとも光源の点灯／非点灯を制御する光源動作制御部とを有することが好ましい。
【００１２】
このようなプロジェクタによれば、検出部がカバー部材の位置を検出し、光源動作制御部が、検出部の検出信号に基づいて、少なくとも光源の点灯／非点灯を制御することにより、カバー部材の回動位置に連動して光源の点灯／非点灯を制御でき、プロジェクタの利便性が更に向上する。
【００１３】
上記プロジェクタにおいて、カバー部材を固定する固定部を更に有し、固定部は、カバー部材をチルト機構として機能する所定の位置に固定することが好ましい。
【００１４】
このようなプロジェクタによれば、固定部によりカバー部材をチルト機構として機能する所定の位置に固定するため、プロジェクタに外力が加わった場合にも、カバー部材は外力に影響されずにチルト機構としての機能及び脚としての機能を行うことができる。これにより、プロジェクタの信頼性及び利便性が更に向上する。
【００１５】
上記プロジェクタにおいて、カバー部材は、投写レンズの先端部を閉塞した場合、プロジェクタの脚として機能することが好ましい。
【００１６】
このようなプロジェクタによれば、カバー部材が投写レンズの先端部を閉塞して、プロジェクタを机上などに載置する場合に、プロジェクタのガタツキを防止することができ、利便性が向上する。また、プロジェクタ本体のカバー部材側の底面に別の脚を設ける必要がないため、部品の削減とコストの削減が可能となる。
【００１７】
上記プロジェクタにおいて、カバー部材は、不透明のプラスチック部材または金属部材で形成されることが好ましい。
【００１８】
このようなプロジェクタによれば、カバー部材が投写レンズの先端部を閉塞した場合には、検出部および光源動作制御部により光源は非点灯となるため、投写レンズからの投写光による熱で、カバー部材が溶けて変形することを防止できる。それにより、カバー部材を不透明のプラスチック部材または金属部材で形成することが可能となる。従って、従来のように無色（あるいは有色）透明のプラスチック部材に限られることが無くなるため、カバー部材を不透明のプラスチック部材または金属部材で形成することにより、カバー部材及びプロジェクタに対するデザインの自由度が拡大する。
【発明を実施するための最良の形態】
【００１９】
以下、本発明の実施形態を図面に基づいて説明する。
（実施形態）
【００２０】
図１は、本発明の実施形態に係るプロジェクタの概略斜視図であり、図１（ａ）は、カバー部材が投写レンズを閉塞した状態での斜視図であり、図１（ｂ）は、カバー部材が、チルト機構として機能する状態での斜視図である。図１を用いて、プロジェクタ１の外観の構成を概略説明する。
【００２１】
プロジェクタ１の本体２の外観面である全６面に対して、構成の説明のために、上面部１ａ、前面部１ｂ、左側面部１ｃ、右側面部１ｄ、背面部１ｅ、底面部１ｆとして示す。
【００２２】
図１（ａ）、（ｂ）に示すように、プロジェクタ１は、プロジェクタ１の本体２の外装を構成する略直方体形状の筐体１０と、プロジェクタ本体２の前面部１ｂのほぼ全領域を覆うカバー部材１００とを有して構成される。
【００２３】
筐体１０は、プラスチック材料を主原料として形成される。上面部１ａには、プロジェクタ１の動作を操作する操作スイッチなどの操作部２５及びプロジェクタ本体２内部に備えるスピーカ３７（図３に図示）から出力される音を報音する報音孔１１が形成されている。また、後述する光源５１を構成するＬＥＤ（Light Emitting Diode）光源５２（図３、図２に図示）の動作状態などを知らせるＬＥＤ（Light Emitting Diode）表示部１２が設置されている。
【００２４】
また、上面部１ａには、前面部１ｂの端部からＵ字状の切欠部１３が形成されて、投写レンズ５９を保持固定する円筒状の投写レンズ保持部材６０の一部が露出している。露出した投写レンズ保持部材６０には、投写レンズ５９から投写される投写映像の焦点を合せるためのレバー６１が突出して備えられ、レバー６１を投写レンズ保持部材６０の外周に形成される溝６２に沿って回動することにより、投写映像の焦点を合せることができる。
【００２５】
前面部１ｂには、投写レンズ５９及び投写レンズ保持部材６０の先端部が筐体１０から延出して備えられている。カバー部材１００は、投写レンズ５９及び投写レンズ保持部材６０の先端部を含めて、前面部１ｂのほぼ全領域を覆うように設置される。
【００２６】
左側面部１ｃ及び右側面部１ｄには、カバー部材１００を回動自在に保持するための構成を有するカバー部材取付溝部２００がそれぞれの面部に相対して形成されている。
【００２７】
背面部１ｅには、後述する電源コネクタ４０（図３に図示）を構成し、プロジェクタ１とは別に備える電源アダプタ（図示省略）からのプラグ５２０（図３に図示）と接続するコネクタ（図示省略）などが設けられている。底面部１ｆには、プロジェクタ本体を支える脚１５（図２に図示）が背面部１ｅ側の中央部に１つ設けられている。また、後述するカバー部材１００に形成する押圧用突起１２３及び脚１３３がプロジェクタ１を支える脚として機能する。
【００２８】
カバー部材１００は、本実施形態では、有色不透明のプラスチック部材で形成され、４方向に縁を形成した箱状のカバー部１１０と、カバー部１１０をプロジェクタ本体２に対して回動させるための構成を有し、カバー部１１０の相対するコーナー部から延設される一対のヒンジ部１２０，１３０とで構成されている。
【００２９】
カバー部１１０は、図１（ａ）に示すように、投写レンズ５９の先端部を閉塞し、しかも、前面部１ｂのほぼ全領域を覆うことで、投写レンズ５９を保護している。また、図１（ａ）に示す状態は、プロジェクタ１として動作（投写など）を行わない場合の状態であり、保管する場合の状態である。
【００３０】
また、カバー部材１００は、図１（ｂ）に示すように、ヒンジ部１２０，１３０により回動することでカバー部１１０が投写レンズ５９を開放する。そして、ヒンジ部１２０，１３０が所定の位置で後述する固定部３００により固定された状態となる。この状態で、プロジェクタ１は後述する検出部４００及び光源動作制御部としての制御部３８により投写を開始する。なおこの状態において、プロジェクタ１は、脚１５及びカバー部材１００のカバー部１１０により支えられる。そして、カバー部材１００は、投写映像を上方に投写できるように、プロジェクタ本体２の前面部１ｂ側を上方に持上げて保持することにより、チルト機構としての機能を行う。詳細は後述する。
【００３１】
本実施形態でのプロジェクタ１の外形形状は、概略、１５０ｍｍ×１２０ｍｍ×５０ｍｍ（Ｘ方向×Ｙ方向×Ｚ方向）であり、小型化が図られている。
【００３２】
図２は、プロジェクタの側面図を示し、図２（ａ）は、カバー部材が投写レンズを開放しチルト機構として機能する状態での側面図であり、図２（ｂ）は、カバー部材が投写レンズを閉塞し投写レンズの保護として機能する状態での側面図である。なお、図２（ａ）は、プロジェクタ本体２内部での光学構成部５０も図示している。図２を用いて、プロジェクタ１の構成及び動作を説明する。
【００３３】
図２（ａ）を用いて、光学構成部５０の構成を説明する。
光学構成部５０は、プロジェクタ１の光学系を構成する部分であり、光源５１と、光学変換部５４と、投写レンズ５９とを有して構成される。光源５１は、発光源としてのＬＥＤ光源５２と、集光レンズ５３とを有して構成される。光学変換部５４は、コリメータレンズ５７と、伸張レンズ５８と、変換部５５としての液晶ライトバルブ５６とを有して構成される。
【００３４】
光学構成部５０は、プロジェクタ本体２の平面中央及び断面中央に配設されている。背面部１ｅ側に光源５１を配設し、前方に光学変換部５４、投写レンズ５９の順番に配設され、前面部１ｂに投写レンズ５９を保持固定する投写レンズ保持部材６０の一部が延出する。光学変換部５４は、光源５１の前方にコリメータレンズ５７、伸張レンズ５８、変換部５５としての液晶ライトバルブ５６の順番に配設される。光学構成部５０は、上述した配設順番で直線上に配設される。液晶ライトバルブ５６は、ライトバルブケーブル２４を有して後述する回路ユニット２０に接続される。
【００３５】
各構成部の動作を説明する。
集光レンズ５３は、ＬＥＤ光源５２で発光した光を効率よく前方に出射させる。コリメータレンズ５７は、光源５１から出射された光を平行光に変換して出射する。伸張レンズ５８は、コリメータレンズ５７から出射された平行光を液晶ライトバルブ５６の所定の入射光領域（図示省略）のサイズに合せて伸張して出射する。
【００３６】
液晶ライトバルブ５６は、本実施形態では、透過型カラー液晶パネルを用いており、ＬＣＤ駆動部３４の信号に基づいて駆動し、伸張レンズ５８から出射された光を変調して映像に変換する。なお、液晶ライトバルブ５６は、透過型液晶パネルに限定されることなく、反射型液晶パネルやデジタルマイクロミラーデバイス等を用いることもできる。
【００３７】
投写レンズ５９は、数種類のレンズから構成されており、液晶ライトバルブ５６により変調され生成された映像を拡大して、プロジェクタ１の外部に出射する。
【００３８】
上述した光学構成部５０の構成及び動作により、プロジェクタ１は、プロジェクタ１の外部に設置したスクリーン５１０（図３に図示）などの投影面に映像を拡大投写する。
【００３９】
回路ユニット２０の構成を説明する。
回路ユニット２０は、後述するプロジェクタ１の回路ブロックの各回路部を構成する素子を回路基板２１に実装したものである。そして、回路ユニット２０は、上面部１ａ側の筐体１０内面側の所定の位置に収容され固定される。
【００４０】
回路ユニット２０は、回路基板２１をベースとして、各回路部を構成する素子であるＣＰＵ（Central Processing Unit）２２、電源コネクタ４０を構成するコネクタ（図示省略）、スピーカ３７、ライトバルブケーブル２４を接続するケーブルコネクタ２３などが実装される。その他の素子は図示を省略している。
【００４１】
カバー部材１００のチルト機構としての動作を説明する。
図２（ａ）に示すように、カバー部材１００を回転してチルト機構として機能する位置に位置させると、固定部３００によりカバー部材１００が固定される。この状態のプロジェクタ１を机上に載置すると、プロジェクタ本体２の脚１５とカバー部材１００のカバー部１１０が机上面６００に当接してプロジェクタ１が保持される。図２（ａ）に示す状態になると、後述する検出部４００により光源５１が発光し、プロジェクタ１が映像の投写を行う状態となる。
【００４２】
このとき、プロジェクタ１は、図２（ａ）に示すように、カバー部材１００によりプロジェクタ本体２の前面部１ｂ側（投写レンズ５９側）が背面部１ｅ側（光源５１側）より高くなり机上面６００に載置される。これにより、プロジェクタ１が映像を投写した場合、プロジェクタ１を机上面６００に平行に載置して投写できるとした場合の投写面での投写映像の位置に対して、チルト機構による角度が加わり、角度に対応する量だけ高い位置に投写映像を投写することになる。このようにカバー部材１００は、チルト機構として機能することになる。
【００４３】
詳細には、本実施形態のプロジェクタ１は、投写レンズ５９に対して初期的にアオリを含めた設計により構成されている。従って、仮にプロジェクタ１を机上面６００に平行に載置して投写面に映像を投写できるとした場合には、設定されたアオリによりプロジェクタ１の光軸よりも上部側にシフトして映像を投写する。このような状態に、本実施形態ではチルト機構による角度を加えることにより、更に投写映像の位置を高くすることができる。
【００４４】
図２（ａ）に示す状態において、カバー部材１００は、チルト機構として機能することに加え、プロジェクタ本体２を支える脚として機能している。
【００４５】
図２（ｂ）に示すように、カバー部材１００が投写レンズ５９を閉塞した状態においては、プロジェクタ１は、カバー部材１００のヒンジ部１２０に形成される押圧用突起１２３と、同様にカバー部材１００のヒンジ部１３０に形成される脚１３３（図４に図示）と、プロジェクタ本体２に形成される脚１５とにより、机上面６００に平行に支持される。なお、押圧用突起１２３及び脚１３３に関しては後述する。
【００４６】
図３は、プロジェクタの回路構成を示すブロック図である。図３を用いて、プロジェクタ１の回路構成及び動作を説明する。
【００４７】
プロジェクタ１は、パソコン（パーソナルコンピュータ）５００と無線により接続される。そして、プロジェクタ１は、アンテナ３０、通信部３１、信号変換部３２、画像処理部３３、ＬＣＤ（Liquid Crystal Display）駆動部３４、光学構成部５０、ＬＥＤ（Light Emitting Diode）制御部３９、検出部４００、音声処理部３５、増幅部３６、スピーカ３７、電源コネクタ４０及びプロジェクタ１の動作全体を統括制御する制御部３８などを有して構成される。
【００４８】
プロジェクタ１の各回路部の動作を説明する。
プロジェクタ１は、アンテナ３０及び通信部３１により、パソコン５００からの符号化された画像データ（静止画像データ及び動画像データ）や音声データなどを受信する。受信した画像データや音声データは、信号変換部３２により複合化され、画像データは、画像処理部３３に出力され、音声データは、音声処理部３５に出力される。
【００４９】
画像処理部３３は、信号変換部３２から入力した画像データに、フレームレート変換およびスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ５６を駆動する。
【００５０】
音声処理部３５は、信号変換部３２から入力したデジタル信号である音声データを、アナログ信号に変換し、増幅部３６により増幅し、スピーカ３７により音声として報音孔１１を介して報音する。
【００５１】
ＬＥＤ制御部３９は、制御部３８の信号に基づいて、ＬＥＤ光源５２の輝度調光を行う。具体的には、画像のシーンに対応させて、ＬＥＤ光源５２を駆動する駆動周波数やデューティー比を変化させている。これにより、明るいシーンでは、駆動周波数を上げるまたはデューティー比の「ＯＮ」時間を長くすることにより、ＬＥＤ光源５２を明るく発光させる。また、暗いシーンでは、逆に、駆動周波数を下げるまたはデューティー比の「ＯＮ」時間を短くすることにより、ＬＥＤ光源５２の発光を抑えて暗くさせる制御を行う。なお、ＬＥＤ光源５２は、白色光（すべての色の光を含む）を発光させる。
【００５２】
検出部４００は、カバー部材１００の回動位置を検出している。詳しくは、カバー部材１００がチルト機構として機能する位置に位置する場合と位置しない場合に対応する検出信号を制御部３８に出力する。
【００５３】
制御部３８は、プロジェクタ１の動作全体を統括制御しており、また、後述する検出部４００から入力される検出信号に基づいて、カバー部材１００がチルト機構として機能する位置に位置するか否かを判断し、光源５１（ＬＥＤ光源５２）の点灯／非点灯を制御する光源動作制御部としての機能を有している。なお、制御部３８は、検出部４００から入力される信号に基づいて、カバー部材１００がチルト機構として機能する位置に位置するか否かを判断し、電源のＯＮ／ＯＦＦを制御するようにしても良い。
【００５４】
プロジェクタ１を駆動するための電力は、プロジェクタ１とは別に備える電源アダプタ（図示省略）を介して供給される。それにより、電源コネクタ４０を備えて、電源アダプタのプラグ５２０と接続される。
【００５５】
図４は、図１（ａ）に示すＡ−Ａの位置でＸ−Ｙ平面に平行な断面図である。また、ヒンジ部の周辺領域を拡大した断面図である。但し、プロジェクタ本体２の内部は図示を省略し、脚１５とヒンジ部１２０，１３０を主に図示している。図４を用いて、プロジェクタ本体２とカバー部材１００のヒンジ部１２０，１３０との構成を説明する。
【００５６】
図４に示すように、カバー部材１００は、カバー部１１０とヒンジ部１２０，１３０とで構成される。また、カバー部材取付溝部２００，２１０は、ヒンジ部１２０，１３０に相対して形成されている。また、カバー部材１００及びカバー部材取付溝部２００，２１０は、プロジェクタ１の中心位置を通るＸ−Ｚ平面に対して対称な構成となっており、それぞれに形成される種々の構成も対称に有している。
【００５７】
そこで、プロジェクタ本体２の左側面部１ｃに設置されるヒンジ部１２０及びカバー部材取付溝部２００を説明することで、右側面部１ｄに設置されるヒンジ部１３０及びカバー部材取付溝部２１０の詳細説明は省略する。
【００５８】
ヒンジ部１２０は、ヒンジ部１２０の先端部において、同様の形状でプロジェクタ本体２側に厚肉となる回動構成部１２１を形成している。回動構成部１２１の回動構成面１２１ａには、カバー部材１００を回動するための軸となる支軸１２２が円柱形状を有してプロジェクタ本体２内側に突出して形成されている。また、カバー部材１００をプロジェクタ本体２に固定するための固定部３００を構成する固定用突起１２４が半円球凸形状を有してプロジェクタ本体２内側に突出して形成されている。
【００５９】
検出部４００を構成する検出スイッチとしてのマイクロスイッチ４１０の可動軸４１２が、カバー部材取付溝部２００にプロジェクタ本体２内部から延出しており、この可動軸４１２に当接して押圧するための押圧用突起１２３が回動構成部１２１の外周面部に半円形状を有して突出（図４では、回動構成部１２１の外周面部の下方向に突出）して形成されている。
【００６０】
カバー部材取付溝部２００は、上述したヒンジ部１２０の形状に対応して、クリアランスを確保して、ヒンジ逃げ部２０１及び回動構成逃げ部２０２が形成されている。回動構成逃げ部２０２の回動構成逃げ部面２０２ａには、支軸１２２を受ける円柱凹形状を有する軸受部２０３が形成されている。
【００６１】
また、回動構成逃げ部面２０２ａには、固定用突起１２４を受けることでカバー部材１００の回動を固定する固定部３００として２つの固定用受部２０４，２０５が半円球凹形状を有して形成される。なお、固定用受部２０４は、カバー部材１００が投写レンズ５９を閉塞した場合にカバー部材１００の固定用突起１２４を固定する。その状態を図４では示している。また、固定用受部２０５は、カバー部材１００が投写レンズ５９を開放し、チルト機構として機能する位置に回動した場合に固定用突起１２４を固定する。従って、固定用受部２０４，２０５は、支軸１２２を中心として、同心円上に設置されている。
【００６２】
なお、固定用受部２０４が固定用突起１２４を固定した状態（カバー部材１００が投写レンズ５９を閉塞した状態）から、固定用突起１２４を回動させるには、段差Ｈを乗り越える力をカバー部材１００に加えることになる。この力が固定部３００の固定力となる。
【００６３】
上述した構成が、ヒンジ部１３０及びカバー部材取付溝部２１０においても同様に形成され構成されている。よって、ヒンジ部１３０には、回動構成部１３１、支軸１３２、固定用突起１３４が形成され、カバー部材取付溝部２１０には、軸受部２１３、ヒンジ逃げ部（図示省略）、回動構成逃げ部（図示省略）、固定部３００として２つの固定用受部２１４，２１５が同様に形成される。
【００６４】
マイクロスイッチ４１０の可動軸４１２を押圧する押圧用突起１２３に対応して、ヒンジ部１３０には脚１３３が形成される。脚１３３は、カバー部材１００が、投写レンズ５９を閉塞した状態で、プロジェクタ本体２を支える脚として機能し、検出部４００としての機能は行わない。本実施形態では、検出部４００は後述する１箇所に構成されている。
【００６５】
固定部３００は、固定用突起１２４と２つの固定用受部２０４，２０５、及び相対して設けられる固定用突起１３４と２つの固定用受部２１４，２１５とにより構成される。
【００６６】
また、上記構成により、カバー部材１００は、ヒンジ部１２０，１３０に形成される支軸１２２，１３２を、プロジェクタ本体２に形成される軸受部２０３，２１３にそれぞれ挿嵌することにより支軸１２２，１３２を中心として、プロジェクタ本体２に対して回動自在となる。
【００６７】
図５は、図４に示すＢ−Ｂ断面図であり、検出部及び固定部を示し、図５（ａ）は、カバー部材が回動途中の断面図であり、図５（ｂ）は、カバー部材がチルト機構として機能する状態での断面図である。図５を用いて、プロジェクタ１の検出部４００及び固定部３００の構成及び動作を説明する。
【００６８】
図５（ａ）、（ｂ）に示すように、検出部４００は、プッシュ型の検出スイッチであるマイクロスイッチ４１０と、それを実装すると同時にマイクロスイッチ４１０で検出した信号を光源動作制御部としての制御部３８に送信するケーブルなどが実装された検出回路基板４１３と、マイクロスイッチ４１０の可動軸４１２に当接して押圧する押圧用突起１２３とで構成される。
【００６９】
また、検出部４００は、カバー部材取付溝部２００に形成する回動構成逃げ部２０２の回動構成逃げ部面２０２ｂに相対する内面側に設置される。検出部４００を固定するために、突出させた検出回路固定用凸部２０６が形成されている。検出回路固定用凸部２０６は、内側にマイクロスイッチ４１０が収容できる空間となる検出回路用溝２０７を形成している。また、回動構成逃げ部面２０２ｂには、マイクロスイッチ４１０の可動軸４１２を挿入する挿入孔２０８が形成されている。
【００７０】
ここで、マイクロスイッチ４１０の可動軸４１２を挿入孔２０８に挿入することで、マイクロスイッチ４１０の本体４１１を検出回路用溝２０７に位置させて、検出回路基板４１３の肩を検出回路固定用凸部２０６の先端部に当接させることにより検出部４００が固定される。検出部４００を固定することにより、マイクロスイッチ４１０の可動軸４１２が、回動構成逃げ部２０２に所定の突出量を持って固定される。
【００７１】
固定部３００及び検出部４００の動作を説明する。
図５（ａ）に示すように、カバー部材１００が回動途中（固定部３００によりカバー部材１００がプロジェクタ本体２に固定されない状態）であり、回動構成部１２１の外周面部に形成する押圧用突起１２３が、マイクロスイッチ４１０の可動軸４１２を押圧しない場合には、検出部４００での検出信号は「ＯＦＦ」となる。その信号は制御部３８に出力される。
【００７２】
なお、図４に示した拡大図のように、固定用突起１２４が、固定用受部２０４に位置して、固定用突起１２４の半球面凸形状部分が固定用受部２０４の半球面凹形状部分に落込み、固定用突起１２４が固定されることで、カバー部材１００がプロジェクタ本体２に固定される場合（カバー部材１００が投写レンズ５９を閉塞する場合）も、上述したと同様に、検出部４００での検出信号は「ＯＦＦ」となる。その信号は制御部３８に出力される。
【００７３】
図５（ｂ）に示すように、固定用突起１２４が、固定用受部２０５に位置して、固定用突起１２４の半球面凸形状部分が固定用受部２０５の半球面凹形状部分に落込むと、カバー部材１００は、プロジェクタ本体２に固定される。この状態が、カバー部材１００がチルト機構として機能する状態である。固定されると同時に、押圧用突起１２３が、マイクロスイッチ４１０の可動軸４１２を押圧して、マイクロスイッチ４１０の本体４１１側に押込み量Ｃだけ押込むことになる。マイクロスイッチ４１０が動作するストロークに合せて可動軸４１２の押込み量Ｃを設定しているため、マイクロスイッチ４１０の検出信号は「ＯＮ」となる。その信号が制御部３８に出力される。
【００７４】
この構成及び動作により、検出部４００は、固定用突起１２４が固定用受部２０５に位置して、カバー部材１００がプロジェクタ本体２に固定されると同時に、検出信号「ＯＮ」を出力する。また、検出部４００は、カバー部材１００が回動途中、及び、カバー部材１００が投写レンズ５９を閉塞する場合には、検出信号「ＯＦＦ」を出力する。
【００７５】
ここで、光源動作制御部としての制御部３８の動作を詳細に説明する。
上述したように、固定用突起１２４が固定用受部２０５に位置して、カバー部材１００がプロジェクタ本体２に固定されると検出部４００により、検出信号は「ＯＦＦ」から「ＯＮ」に変わり、制御部３８に検出信号「ＯＮ」を出力する。そして、この検出信号「ＯＮ」が光源駆動制御部としての制御部３８に入力することにより、制御部３８は、カバー部材１００がチルト機構として機能する位置に位置したと判断する。そして、制御部３８は、ＬＥＤ光源５２を点灯させるための信号をＬＥＤ制御部３９に出力する。ＬＥＤ制御部３９は、ＬＥＤ光源５２を点灯させるための信号に基づき、ＬＥＤ光源５２の点灯を開始する。そして、制御部３８は、プロジェクタ１に映像を投写させる動作を開始する。
【００７６】
また、固定用突起１２４が固定用受部２０５から移動して、カバー部材１００が回動を開始すると、検出部４００により、検出信号は「ＯＮ」から「ＯＦＦ」に変わり、光源駆動制御部としての制御部３８に検出信号「ＯＦＦ」を出力する。そして、この検出信号「ＯＦＦ」が制御部３８に入力することにより、制御部３８は、カバー部材１００がチルト機構として機能する位置からずれたと判断する。そして、制御部３８は、ＬＥＤ光源５２を非点灯させるための信号をＬＥＤ制御部３９に出力する。ＬＥＤ制御部３９は、ＬＥＤ光源５２を非点灯させるための信号に基づき、ＬＥＤ光源５２の点灯を終了する（非点灯となる）。そして、制御部３８は、プロジェクタ１に映像を投写させる動作を終了する。
【００７７】
上述した検出部４００及び光源駆動制御部としての制御部３８の動作により、カバー部材１００がチルト機構として機能する位置に固定されると、ＬＥＤ光源５２が点灯し、プロジェクタ１が映像を投写できる状態となる。また、カバー部材１００が回動を開始すると、ＬＥＤ光源５２が非点灯となり、プロジェクタ１が映像を投写しない状態となる。よって、ユーザは、プロジェクタ１に備える操作部２５の電源スイッチを操作しなくても、カバー部材１００を回動させることにより、プロジェクタ１に映像を投写させることや、投写を終了させることができる。
【００７８】
上述した、実施形態によれば以下の効果が得られる。
（１）本実施形態によれば、カバー部材１００は、投写レンズ５９を閉塞して投写レンズ５９を保護することができる。また、カバー部材１００がプロジェクタ本体２に対して回動し、脚及びチルト機構として機能する位置に位置した場合には、プロジェクタ１を机上面６００などにガタツキを防止して載置することができる。併せて、チルト機構として機能するため、投写面に対して投写レンズ５９から投写された投写映像の位置を調整でき、プロジェクタ１が映像を投写する際のアオリの関係から発生する投写映像の下側が机上面６００に投写されるという不具合を改善することが可能となる。これらにより、プロジェクタ１のカバー部材１００を有効に利用することができ、プロジェクタ１の利便性が向上する。
【００７９】
（２）本実施形態によれば、固定部３００によりカバー部材１００をチルト機構として機能する所定の位置に固定するため、プロジェクタ１に外力が加わった場合にも、カバー部材１００は外力に影響されずに脚としての機能を行うことができる。また、同時に検出部４００が検出し、光源動作制御部としての制御部３８が制御して、光源５１を点灯させるため、プロジェクタ１は正常な映像を投写することができる。また、カバー部材１００がチルト機構として機能する所定の位置に位置しない場合、検出部４００が検出し、光源動作制御部としての制御部３８が制御して、光源５１を非点灯させる。そのため、カバー部材１００が投写レンズ５９からの投写光をさえぎる位置（例えば、カバー部材１００が投写レンズ５９を閉塞する位置）に位置する場合など、プロジェクタ１が正常な映像を投映できない状態においては、プロジェクタ１は映像の投写を終了することができる。これにより、プロジェクタ１の信頼性及び利便性が更に向上する。
【００８０】
（３）本実施形態によれば、カバー部材１００が投写レンズ５９の先端部を閉塞して、プロジェクタ１を机上面６００などに載置する場合に、カバー部材１００に形成した押圧用突起１２３及び脚１３３が、プロジェクタ本体２に備える脚１５と共にプロジェクタ１の脚として機能することで、プロジェクタ１のガタツキを防止することができ、利便性が向上する。従って、プロジェクタ本体２のカバー部材１００側の底面部１ｆに別の脚を設ける必要がないため、部品の削減とコストの削減も可能となる。
【００８１】
（４）本実施形態によれば、カバー部材１００が投写レンズ５９の先端部を閉塞した場合には、検出部４００および光源動作制御部としての制御部３８により光源５１は非点灯となるため、投写レンズ５９からの投写光による熱で、カバー部材１００が溶けて変形することを防止できる。そのためカバー部材１００は、有色不透明のプラスチック部材で形成されている。従って、従来のように無色（あるいは有色）透明のプラスチック部材に限られることが無くなり、カバー部材１００及びプロジェクタ１に対するデザインの自由度が拡大する。
【００８２】
なお、本発明は、上述した実施形態に限定されず、種々の変更や改良など加えることが可能である。変形例を以下に述べる。
【００８３】
（変形例１）前記実施形態において、カバー部材１００は、有色不透明のプラスチック部材で形成されているが、これに限らず、従来のように無色（あるいは有色）透明のプラスチック部材で形成しても良いし、また、金属部材などで形成しても良い。このように、カバー部材１００を形成する部材の種類を拡大したことにより、カバー部材１００及びプロジェクタ１のデザインの自由度を拡大することができる。
【００８４】
（変形例２）前記実施形態において、検出部４００は、カバー部材取付溝部２００に形成する回動構成逃げ部２０２の回動構成逃げ部面２０２ｂに相対する内面側に設置される。しかし、これに限らず、カバー部材取付溝部２１０の相対する部位に検出部４００を設置しても良いし、また、双方に設置しても良い。特に、双方に検出部４００を設置した場合には、検出部４００が２箇所となり、ほぼ同時に検出信号が出力されることになり、検出部４００でのチャタリングなどを考慮した許容時間内に制御部３８が検出信号を入力した場合に、光源５１を点灯させる仕様とすることができる。これにより、例えばプロジェクタ１の落下などによりカバー部材１００が歪んだ場合など、不具合に対しての検出手段として用いることもでき、更にプロジェクタ１の動作の信頼性を向上することが可能となる。
【００８５】
（変形例３）前記実施形態において、カバー部材１００のヒンジ部１２０に形成した検出部４００を構成する押圧用突起１２３と、押圧用突起１２３に相対して形成したヒンジ部１３０の脚１３３とにより、カバー部材１００が投写レンズ５９を閉塞してプロジェクタ本体２を机上面６００に載置する場合の脚として機能させている。しかし、これに限らず、カバー部材１００のカバー部１１０やヒンジ部１２０，１３０のその他の部位に脚としての機能を持たせた突起を別に形成することでも良い。
【００８６】
（変形例４）前記実施形態に用いた固定部３００の固定構造、及び検出部４００の検出構造以外に、様々な固定部の固定構造、及び検出部の検出構造を用いることが可能であり、前記実施形態に限定されるものではない。本発明の要旨を変更しない範囲で適宜変形しても良い。
【００８７】
（変形例５）前記実施形態において、光源動作制御部は、制御部３８内での処理として構成されているが、これに限らず、ＬＥＤ制御部３９内での処理として構成しても良い。
【００８８】
（変形例６）前記実施形態でのプロジェクタ１は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタであっても良い。
【図面の簡単な説明】
【００８９】
【図１】本発明の実施形態に係るプロジェクタの概略斜視図であり、図１（ａ）は、カバー部材が投写レンズを閉塞した状態での斜視図であり、図１（ｂ）は、カバー部材が、チルト機構として機能する状態での斜視図である。
【図２】プロジェクタの側面図を示し、図２（ａ）は、カバー部材が投写レンズを開放しチルト機構として機能する状態での側面図であり、図２（ｂ）は、カバー部材が投写レンズを閉塞し投写レンズの保護として機能する状態での側面図である。
【図３】プロジェクタの回路構成を示すブロック図である。
【図４】図１（ａ）に示すＡ−Ａの位置でＸ−Ｙ平面に平行な断面図である。
【図５】図４に示すＢ−Ｂ断面図であり、図５（ａ）は、カバー部材が回動途中の断面図であり、図５（ｂ）は、カバー部材がチルト機構として機能する状態での断面図である。
【符号の説明】
【００９０】
１…プロジェクタ、２…プロジェクタ本体、１０…筐体、１１…報音孔、１２…ＬＥＤ表示部、１３…切欠部、１５…脚、２０…回路ユニット、２１…回路基板、２５…操作部、３０…アンテナ、３１…通信部、３２…信号変換部、３３…画像処理部、３４…ＬＣＤ駆動部、３５…音声処理部、３６…増幅部、３７…スピーカ、３８…制御部、３９…ＬＥＤ制御部、４０…電源コネクタ、５０…光学構成部、５１…光源、５２…ＬＥＤ光源、５３…集光レンズ、５４…光学変換部、５５…変換部、５６…液晶ライトバルブ、５７…コリメータレンズ、５８…伸張レンズ、５９…投写レンズ、６０…投写レンズ保持部材、６１…レバー、６２…溝、１００…カバー部材、１１０…カバー部、１２０，１３０…ヒンジ部、１２１，１３１…回動構成部、１２１ａ…回動構成面、１２２，１３２…支軸、１２３…押圧用突起、１２４，１３４…固定用突起、１３３…脚、２００，２１０…カバー部材取付溝部、２０２…回動構成逃げ部、２０２ａ，２０２ｂ…回動構成逃げ部面、２０３，２１３…軸受部、２０４，２０５…固定用受部、２０８…挿入孔、２１４，２１５…固定用受部、３００…固定部、４００…検出部、４１０…検出スイッチとしてのマイクロスイッチ、５００…パソコン、５１０…スクリーン、５２０…プラグ、６００…机上面。
【図１】
2006227050.tif 000003
【図２】
2006227050.tif 000004
【図３】
2006227050.tif 000005
【図４】
2006227050.tif 000006
【図５】
2006227050.tif 000007